【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
被写体像からの光を受光して電気信号に変換する光電変換部と、前記光電変換部からの電気信号が転送される半導体領域と、前記光電変換部の電気信号を前記半導体領域に転送する転送手段と、前記半導体領域の電気信号を読み出す読み出し手段とを有する画素を複数備えた撮像素子と、
前記撮像素子の飽和画素を探索し、飽和画素が検出された場合に、前記飽和画素の隣接画素が飽和しているかどうかを判断する飽和検出手段と、
前記飽和検出手段により前記飽和画素の隣接画素が飽和していないと判断された場合に、前記飽和画素が欠陥画素であると判定し、前記飽和画素の隣接画素が飽和していると判断された場合に、前記飽和画素が欠陥画素ではないと判定する欠陥画素判定手段と、
前記欠陥画素判定手段により判定された欠陥画素において、前記光電変換部からの電気信号が前記半導体領域に転送される前に前記半導体領域に蓄積されたノイズ信号レベルの所定割合を前記欠陥画素の隣接画素から読み出される電気信号から減算する減算手段と、
前記欠陥画素の周辺画素から出力される電気信号を用いて前記欠陥画素の電気信号を補間する補正手段と
を有することを特徴とする撮像装置。
【請求項２】
前記飽和検出手段は、前記ノイズ信号が予め設定された閾値より大きい場合に、該ノイズ信号を読み出した画素を飽和画素として検出することを特徴とする請求項１に記載の撮像装置。
【請求項３】
被写体像からの光を受光して電気信号に変換する光電変換部と、前記光電変換部からの電気信号が転送される半導体領域と、前記光電変換部の電気信号を前記半導体領域に転送する転送手段と、前記半導体領域の電気信号を読み出す読み出し手段とを有する画素を複数備えた撮像素子から得られる電気信号の補正方法であって、
前記撮像素子の飽和画素を探索し、飽和画素が検出された場合に、前記飽和画素の隣接画素が飽和しているかどうかを判断する飽和検出工程と、
前記飽和検出工程で前記飽和画素の隣接画素が飽和していないと判断された場合に、前記飽和画素が欠陥画素であると判定し、前記飽和画素の隣接画素が飽和していると判断された場合に、前記飽和画素が欠陥画素ではないと判定する欠陥画素判定工程と、
前記欠陥画素判定手段により判定された欠陥画素において、前記光電変換部からの電気信号が前記半導体領域に転送される前に前記半導体領域に蓄積されたノイズ信号レベルの所定割合を前記欠陥画素の隣接画素から読み出される電気信号から減算する減算工程と、
前記欠陥画素の周辺画素から出力される電気信号を用いて前記欠陥画素の電気信号を補間する補正工程と
を有することを特徴とする補正方法。
【請求項４】
前記飽和検出工程では、前記ノイズ信号が予め設定された閾値より大きい場合に、該ノイズ信号を読み出した画素を飽和画素として検出することを特徴とする請求項３に記載の補正方法。
【手続補正２】
【補正対象書類名】明細書
【補正対象項目名】００１３
【補正方法】変更
【補正の内容】
【００１３】
上記目的を達成するために、本発明の撮像装置は、被写体像からの光を受光して電気信号に変換する光電変換部と、前記光電変換部からの電気信号が転送される半導体領域と、前記光電変換部の電気信号を前記半導体領域に転送する転送手段と、前記半導体領域の電気信号を読み出す読み出し手段とを有する画素を複数備えた撮像素子と、前記撮像素子の飽和画素を探索し、飽和画素が検出された場合に、前記飽和画素の隣接画素が飽和しているかどうかを判断する飽和検出手段と、前記飽和検出手段により前記飽和画素の隣接画素が飽和していないと判断された場合に、前記飽和画素が欠陥画素であると判定し、前記飽和画素の隣接画素が飽和していると判断された場合に、前記飽和画素が欠陥画素ではないと判定する欠陥画素判定手段と、前記欠陥画素判定手段により判定された欠陥画素において、前記光電変換部からの電気信号が前記半導体領域に転送される前に前記半導体領域に蓄積されたノイズ信号レベルの所定割合を前記欠陥画素の隣接画素から読み出される電気信号から減算する減算手段と、前記欠陥画素の周辺画素から出力される電気信号を用いて前記欠陥画素の電気信号を補間する補正手段とを有する。
【手続補正３】
【補正対象書類名】明細書
【補正対象項目名】００１４
【補正方法】変更
【補正の内容】
【００１４】
また、被写体像からの光を受光して電気信号に変換する光電変換部と、前記光電変換部からの電気信号が転送される半導体領域と、前記光電変換部の電気信号を前記半導体領域に転送する転送手段と、前記半導体領域の電気信号を読み出す読み出し手段とを有する画素を複数備えた撮像素子から得られる電気信号の本発明の補正方法は、前記撮像素子の飽和画素を探索し、飽和画素が検出された場合に、前記飽和画素の隣接画素が飽和しているかどうかを判断する飽和検出工程と、前記飽和検出工程で前記飽和画素の隣接画素が飽和していないと判断された場合に、前記飽和画素が欠陥画素であると判定し、前記飽和画素の隣接画素が飽和していると判断された場合に、前記飽和画素が欠陥画素ではないと判定する欠陥画素判定工程と、前記欠陥画素判定手段により判定された欠陥画素において、前記光電変換部からの電気信号が前記半導体領域に転送される前に前記半導体領域に蓄積されたノイズ信号レベルの所定割合を前記欠陥画素の隣接画素から読み出される電気信号から減算する減算工程と、前記欠陥画素の周辺画素から出力される電気信号を用いて前記欠陥画素の電気信号を補間する補正工程とを有する。
【手続補正４】
【補正対象書類名】明細書
【補正対象項目名】００３４
【補正方法】変更
【補正の内容】
【００３４】
ステップＳ１１で飽和画素が単独である、即ち、飽和画素が隣接していないと判断された場合、ステップＳ１２に進み、飽和画素のノイズ信号レベルの所定の割合ａの信号レベルを、光出力画像においてその飽和画素に隣接する画素の光信号から減算する。所定の割合ａは欠陥画素の暗電流が長時間蓄積により飽和し、飽和を超えたレベルのうち隣接画素に漏れ込む割合に相当する。飽和画素が１画素で存在した場合、被写体輝度による飽和ではなく、画素欠陥の暗電流による飽和であると判断でき、隣接する画素の信号レベルとの差は大きいと推測される。この補正を行うことで、飽和画素に隣接する画素の本来の光信号を得ることができ、画質劣化を防ぐことができる。
【手続補正５】
【補正対象書類名】明細書
【補正対象項目名】００４７
【補正方法】変更
【補正の内容】
【００４７】
ステップＳ２２において欠陥画素が飽和画素でない場合は、隣接画素への飽和信号の漏れ込みがないと判断し、隣接画素への補正をせずステップＳ２４へ進む。ステップＳ２２で欠陥画素が飽和画素であると判断された場合、ステップＳ２３に進み、欠陥画素のノイズ信号レベルの所定の割合ａの信号レベルを、光出力画像においてその欠陥画素に隣接する画素の光信号から減算する。所定の割合ａは欠陥画素の暗電流が長時間蓄積により飽和し、飽和を超えたレベルのうち隣接画素に漏れ込む割合に相当する。欠陥画素が飽和画素である場合、隣接する画素の信号レベルとの差は大きいと推測される。この補正を行うことで、飽和画素に隣接する画素の本来の光信号を得ることができ、画質劣化を防ぐことができる。
【手続補正６】
【補正対象書類名】図面
【補正対象項目名】図３
【補正方法】変更
【補正の内容】
【図３】
2008109504.tif 000001